(57)【要約】【課題】  介護者が楽に作業ができる身障者用ポータブルトイレを提供する。【解決手段】  中央に後方まで連続する開口部が設けられて上面がフラットな便座と、便座を高さ調整可能に支持するフレームと、便槽を上方に抜取り可能に支持して開口部の下方で便座に吊架され、便槽が便座から外れるまで前方にスライド可能な便槽受けとからなることを特徴とする身障者用ポータブルトイレ。【選択図】  図１
2008154791.tif 000002
【特許請求の範囲】
【請求項１】
中央に後方まで連続する開口部が設けられて上面がフラットな便座と、便座を高さ調整可能に支持するフレームと、便槽を上方に抜取り可能に支持して開口部の下方で便座に吊架され、便槽が便座から外れるまで前方にスライド可能な便槽受けとからなることを特徴とする身障者用ポータブルトイレ。
【請求項２】
上端を便座に固定した左右のガイドバーをフレームに立設したスリーブに摺動、固定自在に嵌装した請求項１の身障者用ポータブルトイレ。
【請求項３】
便座の後部に手押し用ハンドルが設けられ、フレームの後部に手押し用ハンドルを押し下げて前方を上げると接地するキャスターが設けられる請求項１又は２の身障者用ポータブルトイレ。
【請求項４】
便座の両脇に着脱可能なアームレストが設けられる請求項１〜３いずれかの身障者用ポータブルトイレ。
【発明の詳細な説明】
【技術分野】
【０００１】
本発明は、介護を必要とする身障者が使用して好適な身障者用ポータブルトイレに関するものである。
【背景技術】
【０００２】
介護を必要とする身障者が用を足す場合、介護者の負担を軽減するために既設のトイレではなく、移動が可能な簡易トイレを使用させることが多い。特に、人手の乏しい施設等では、ベッド等の傍までトイレを移動し、ここで用を足させる場合が多い。したがって、これに用いられるトイレは、身障者が容易に移乗できて楽に用を足せるのはもちろんのこと、後始末等において、介護者の負担が軽減されるものでなくてはならない。身障者用トイレについては種々の提案がなされており、下記特許文献１には椅子型のトイレが提案されている。
【０００３】
身障者が簡易トイレで用を足すとき、介護者にとってもっとも気苦労が多いのは、排泄物の確認及び拭取り介助である。先の先行文献にも示されているように、単に孔（開口）があいた便座では、そのままでは排泄物の有無も確認できないし、拭取りができない。このため、身障者を中腰に立たせなければならないが、身障者にとってこれが苦痛であったり、できない場合もある。さらに、ベッドからトイレへの移乗も厄介である。身障者は一度便座に座ると、なかなか位置が変えられないことが多い。
【特許文献１】特開平９−２６２１８９号公報
【発明の開示】
【発明が解決しようとする課題】
【０００４】
本発明は、このような課題を解決したものであり、身障者にとっては楽に用が足せ、介護者にとっても負担の少ない身障者用ポータブルトイレを可能にしたものである。
【課題を解決するための手段】
【０００５】
以上の課題の下、本発明は、請求項１に記載した、中央に後方まで連続する開口部が設けられて上面がフラットな便座と、便座を高さ調整可能に支持するフレームと、便槽を上方に抜取り可能に支持して開口部の下方で便座に吊架され、便槽が便座から外れるまで前方にスライド可能な便槽受けとからなることを特徴とする身障者用ポータブルトイレを提供したものである。
【０００６】
そして、本発明は、以上のポータブルトイレにおいて、請求項２に記載した、上端を便座に固定した左右のガイドバーをフレームに立設したスリーブに摺動、固定自在に嵌装した手段、請求項３に記載した、便座の後部に手押し用ハンドルが設けられ、フレームの後部に手押し用ハンドルを押し下げて前方を上げると接地するキャスターが設けられる手段、請求項４に記載した、便座の両脇に着脱可能なアームレストが設けられる手段を提供する。
【発明の効果】
【０００７】
請求項１の手段によると、開口部は便座の後方まで連続しているから、身障者が便座に腰を降ろしたままでも、介護者は排泄物の確認ができるし、ここから手を入れて拭取りもできる。もちろん、本人が拭取りする場合でも、後方に開口部が存在しているから、動作が楽である。また、便座はフラットであるから、座ったままで身体をずらせることができる。さらに、便槽受けは前方にスライドでき、かつ、これに支持される便槽は上方に抜取り可能であるから、簡単に取り外すことができる。
【０００８】
また、請求項２の手段によれば、便座の上下調整構造が簡単にでき、請求項３の手段によると、トイレの移動が容易であるし、使用時の安定性も確保できる。さらに、請求項４の手段によれば、アームレストを外しておくことで、ベッドからトイレへの移乗が容易である。
【発明を実施するための最良の形態】
【０００９】
以下、本発明の実施の形態を図面を参照して説明する。図１はこの発明に係る身障者用ポータブルトイレ（以下、トイレ）の斜視図、図２は側面図、図３は横断面図、図４は平面図であるが、このトイレは、使用者が腰掛ける便座１と、便座１を支持するフレーム２と、便座１に吊架される便槽受け３とからなる。これにおいて、便座１は、平面視略四角形に巡らされたステンレスやアルミの便座パイプ４の上にクッション５を載置したものである。そして、クッション５の上面はフラットに形成されており、中央には後方にまで連続（開口）している開口部６が形成されている。
【００１０】
また、便座１の後部からは手押し用ハンドル７が門形に起立しており、その中途にはクッション材からなる二重構造の背もたれ８も設けられている。この他、便座１の両脇にはアームレスト９が設けられており、このアームレスト９は二本の足９ａを有し、便座１の表面に形成された孔（図示省略）にその足９ａを差し込んで装着するものになっている（抜き出せば外れる）。
【００１１】
フレーム２も上記と同素材のパイプで構成され、便座１の下方で前後に延びる左右両方の縦部２ａの後部を横部２ｂで連結した形状をしている。このフレーム２は、便座１を上下調整可能に支持するものであり、本例では、フレーム２の横部２ｂの中央部に左右二本のスリーブ１０を立設し、便座パイプ４に上端を固定されたガイドバー１１をスリーブ１０に嵌装している。使用者の身長等に合わせるためであるが、これにおいて、ガイドバー１１はスリーブ１０内を上下に摺動できるようになっており、ガイドバー１１に何カ所か孔１１ａをあけ、スリーブ１０に設けられるロックピン１２を孔１１ａに挿入することで固定するようにしている。
【００１２】
図５はロックピン１２を示す要部側面図であるが、このロック１２はインデックスプランジャーと称されるもので、後端のノブ１２ａを引くと先端のピン１２ｂが引っ込み、ノブ１２ａから手を離すとピン１２ｂはスプリング（図示省略）の作用で自動的に突出するようになっている（ノブ１２ａを９０°回すと引いた状態にロックもできる）。したがって、ノブ１２ａを引いた後にこれらから手を離しておけば、ガイドバー１１の孔１１ａと位置が合うと、ピン１２ｂは孔１１ａに自動的に入り込むようになっている。操作を簡便にして力が要らないようにしたものである。
【００１３】
ところで、ガイドバー１１の上げ下げは便座１を持って行うことになるが、これも軽い力で行えるようにしている。具体的には、便座パイプ４の四隅からバー１９を降ろし、これをフレーム２の横部２ｂに止められたブラケット２０に通すとともに、便座パイプ４とブラケット２０との間をスプリング２１で張っている。このスプリング２１の強さは便座１の重量とバランスさせてあり、ロックピン１２を緩めると、便座１は軽い力で上下できるようになっている。
【００１４】
さらに、フレーム２には接地する四個の脚１３が設けられており、前二個の脚１３ａは縦部２ａの下端に形成されており、後二個の脚１３ｂは縦部２ａと横部２ｂのコーナーからケース１４を垂下させ、これに取り付けている。また、ケース１４には脚１３ｂの後方にキャスター１５を取り付けている。このキャスター１５はトイレを移動するためのもので、常時は地面から離れており、手押し用ハンドル７を下げて前方の脚１３ａを持ち上げたときに接地するようになっている（この方法で移動する）。
【００１５】
便槽受け３は、便座１に吊架される平板体をしているものであり、前後にスライド可能に設けられるものである。具体的には、便座パイプ４の下方の両側に固定レール１６を取り付け、この固定レール１６と便槽受け３に固定された取付金具１７とをスライド機構２２で連結している。これにより、便槽受け３を前方に引き出すと、全体が便座１から露出する。なお、スライド機構２２には、コロ式、滑り式とあるが、いずれも市販されているから、適当なものを使用すればよい。
【００１６】
そして、便槽受け３には中央に孔３ａが形成されており、この孔３ａに便槽１８が上方から嵌め込まれて支持されるようになっている。この場合の便槽１８は、樹脂材等のカップ形をした本体１８ａの上面に縁１８ｂが形成されたもので、便槽受け３の孔３ａに本体１８ａを挿入すると、縁１８ｂの部分で支持されるようになっている。したがって、便槽１８は便槽受け３の上方に抜き出すことができるものになる。
【００１７】
以上の構成のトイレの使用方法について説明すると、まず、手押し用ハンドル７を押して所定の所まで移動させておくのは上述したとおりである。次に、身障者（使用者）を誘導して用足しの準備をさせ、便座１へ移乗させる。この移乗動作が容易であるのがこのトイレの特徴であり、具体的には、便座１の高さが調整できること、便座１の上面はフラットであること、アームレスト９は取外しができること、で適えている。特に、 アームレスト９が取り外せることで、使用者は前方からでも側方（左右どちらでも）からでも移乗できる。 さらに、一度便座１に腰を降ろしたとしても、位置が悪い場合には、身体をずらして正しい位置まで移動しなければならないが、便座１の上面がフラットであることはこの移動を容易にする。
【００１８】
この状態で使用者は用足しをすることになるが、このとき、左右はアームレスト９で、後方は背もたれ８で共に姿勢を保持されているから、安定した姿勢で用足しができる。なお、アームレスト９の側端と足９ａまでの長さを内外で変えておけば、向きを変えて差し込むことでアームレスト９の内側端までの幅が異なるものになる。また、背もたれ８は二重構造であることから、一重にするか二重にするかで便座１までの長さが異なったものになる。いずれも、使用者の体格等に応じて最適に調整できるようにするためである。
【００１９】
用足しが終了すると、介護者は排泄物の確認と拭取りを行うことになるが、開口部６は後方まで形成されているから、使用者が便座１に座ったままでも便槽１８の中がよく見え、排泄物の有無の確認ができる。加えて、拭取りに際しても、開口部６から容易に手が入るから、作業が楽である（本人が行う場合も同様であるのは上述したとおり）。
【００２０】
用足しが終了すると、使用者はトイレから離れるが、その後、介護者等は、便槽１８を抜きだして中の排泄物を処分して洗浄等を行うことになる。このとき、便槽受け３は便槽１８が完全に露出するまで前方にスライドできるから、着脱操作が容易である。また、便槽１８は樹脂板等からなるカップ形をしているものであるから、洗浄も容易である。
【図面の簡単な説明】
【００２１】
【図１】ポータブルトイレの斜視図である。
【図２】ポータブルトイレの側面図である。
【図３】ポータブルトイレの横断面図である。
【図４】ポータブルトイレの平面図である。
【図５】便座の上下調整をする固定ピンの要部側面図である。
【符号の説明】
【００２２】
１      便座
２      フレーム
２ａ        〃  の縦部
２ｂ        〃  の横部
３      便槽受け
３ａ        〃の孔
４      便座パイプ
５      クッション
６      開口部
７      手押し用ハンドル
８      背当て
９      アームレスト
９ａ        〃      の足
１０    スリーブ
１１    ガイドバー
１１ａ      〃    の孔
１２    ロックピン
１２ａ      〃    のノブ
１２ｂ      〃    のピン
１３    脚
１３ａ  前脚
１３ｂ  後脚
１４    ケース
１５    キャスター
１６    固定レール
１７    取付金具
１８    便槽
１８ａ    〃の本体
１８ｂ    〃の縁
１９    バー
２０    ブラケット
２１    スプリング
２２    スライド機構
【図１】
2008154791.tif 000003
【図２】
2008154791.tif 000004
【図３】
2008154791.tif 000005
【図４】
2008154791.tif 000006
【図５】
2008154791.tif 000007